(57)【要約】【課題】  従来のファスナーからなる袋物は、筒状胴側部の両端開放部を絞り止めた瓜形のケースを形成するため、ファスナーの左右端部で軌道が不自然に狭められ開閉に円滑さを欠いて開閉し難く、開口時に完全な開放が得られ難く、収容物の出し入れ及びケース内での確認ができ難い等の問題があった。【解決手段】  取付生地部（１ａ）、噛合片（１ｂ）、開閉子（１ｄ）からなるファスナー（１）の数条を、長さ方向に沿って上下に並列させた状態で順次取付生地部（１ａ）（１ａ）を縫合接続（２）してファスナー（１）のみで水平方向に開閉できる方形の袋生地を形成し、該袋生地をファスナー（１）に直交する中央から折り返し（４）て、上下端辺で接するファスナー（１）の取付生地部（１ａ）（１ａ）同士を縫合接続（２ａ）（２ａ）し、開放するファスナー両端部による側辺を縫着接合（３）して袋体（５）を構成する。【選択図】図１
0003131585.tif 000002
【実用新案登録請求の範囲】
【請求項１】
取付生地部、噛合片、開閉子からなるファスナーの少なくとも数条を、長さ方向に沿って上下に並列させた状態で互いに接する取付生地部を順次接続してファスナーのみで横方向に開閉できる袋生地を形成し、該袋生地をファスナーに直交する中央から折り返した腹合わせ状で上下端辺の取付生地部同士を接続し、開放する一側辺を接合して袋体としたことを特徴とする袋物。
【請求項２】
前記袋体は、開放する一側辺を相寄る状態の扁平に合わせ接合してなることを特徴とする請求項１記載の袋物。
【請求項３】
前記袋体は、折り返し部の下方の一部ファスナー、少なくとも一条のファスナーを折り返し部で切断し、その切断端辺を隣接するファスナーの折り返し部の取付生地部に接合して切断ファスナーで襠部を形成したことを特徴とする請求２記載の袋物。
【請求項４】
前記袋体は、開放する一側辺の中央を互いに離間方向に摘み広げて扁平に合わせ接合してなることを特徴とする請求項１記載の袋物。
【請求項５】
前記袋体は、開閉子の位置を左右に変化させた上下並列状態でファスナーを順次接続したことを特徴とする請求項１乃至請求項４記載のいずれか１の袋物。
【考案の詳細な説明】
【技術分野】
【０００１】  この考案は、開閉自在のファスナー材を用いて構成した携帯用袋物に関し、さらに詳しくは如何なる部分からも大きく開閉可能に使い易くした袋物に関する。
【背景技術】
【０００２】  これまでファスナーを連続接続した筒状体の左右開口部を、絞りまとめとめて瓜形のケースを形成し、ケース胴側のいずれの箇所をもファスナーに沿って左右方向に開閉することができるケースがあった。
（実開平６−８４９２３号）
【考案の開示】
【考案が解決しようとする課題】
【０００３】  従来の技術文献１のケースは、筒状胴側部の両端開放部を絞り止めた瓜形のケースを形成するため、両端の絞り止め部に行くに従って不自然に狭められた軌道によりファスナー開閉作動時の開閉子の滑動が円滑さを欠いて開閉し難く、ことに開口時において完全な開放が得られ難い。また胴部の一方側面しか開閉できないため、収容物の出し入れ及びケース内での確認ができ難い等の問題があった。
【課題を解決するための手段】
【０００４】  この考案の袋物は上記課題を解決するため、取付生地部、噛合片、開閉子からなるファスナーの少なくとも数条の複数条を、長さ方向に沿って上下に並列させた状態で互いに接する取付生地部を順次縫合接続してファスナーのみで横方向に開閉できる袋生地を形成し、該袋生地をファスナーに直交する中央から折り返して腹合わせ状にし、上下端辺で接するファスナーの取付生地部同士を並列方向に沿って縫合接続し、開放状態の一側辺の相寄るファスナー両端部による端辺同士を縫着接合して袋体を構成する。
【考案の効果】
【０００５】  袋体の胴側生地面でファスナー単位のいずれの箇所においても横方向の水平に開閉することができ、かつ、袋体の一側辺に配したいずれの開閉子からも袋体の前後側面の水平胴周に亘りスタートした元の側辺まで同一軌道を輪切り状に開閉して、袋体を随所で器状に大きく開口することができるため、収容物が零れ出ることなく安全に出し入れすることができると共に、収容物の確認がし易くなる。【０００６】  ファスナーを水平胴周に沿って上下に連続させる構成から、ファスナーの色彩を多色に変化させることにより、カラフルな趣味性豊かな袋物を構成することが容易となると共に、ファスナーの噛合片による保形性と屈撓性を利用して、接合部の合わせ構成を変えることにより袋体の形状をフレキシブルに変化させ保形することが容易となり，袋物のバリエーションを各種に展開させることができる。
【考案を実施するための最良の形態】
【０００８】  この考案に係る袋物の実施の形態を説明すると、袋体の前後身頃に相当する複数条の取付生地部、噛合片、開閉子からなるファスナーを、長さ方向に沿って上下に並列させ、互いに接する取付生地部の端辺を背中合わせに巻き込む状態で順次縫合接続してファスナーのみで横方向に開閉できる方形の袋生地を形成し、該袋生地をファスナーに直交する中央から腹合わせ状に折り返し、上下端辺で折り返し接する取付生地部同士を縫合接続して一方側端に形成するファスナー両端部による相寄る開放端辺を互いに巻き込む状態の背中合わせに縫着接合して袋体を構成し、縫着接合部の随所から水平胴周に沿って反対側の縫着接合部に開閉子を円滑に走行させ袋体を水平輪切り状に大きく開閉することができる。
【実施例】
【０００９】    この袋物の請求項２に基づく実施例を図面１〜６を用いて説明する。図１は袋物の正面図、図２は同左側面図、図３は同右側面図、図４は同平面図、図５は図１のＡ−Ａ線の断面略図、図６はファスナーの一部斜視図で、両側にテープ状の取付生地部（１ａ）（１ａ）を配し相対する端辺に噛合片（１ｂ）（１ｂ）を列設して末端で両取付生地部（１ａ）（１ａ）に跨って開口止（１ｃ）を施し、該噛合片（１ｂ）（１ｂ）に開閉子（１ｄ）（１ｄ）を開閉自在に滑動するよう噛合させた同等の長さのファスナー（１）を、袋体（５）の前後身頃丈に相当する複数条、開閉子（１ｄ）の方向を一条毎に交互に変えて上下に並列させ、隣接するファスナー（１）（１）の取付生地部（１ａ）（１ａ）を順次縫合接続（２）（２）して方形の袋生地を形成し、この袋生地をファスナー（１）（１）に直交する中央から腹合わせ状に折り返（４）して、上下端辺で折り返し接するファスナーの取付生地部（１ａ）（１ａ）同士を並列方向に沿って縫合接続（２ａ）（２ａ）し、開放状態の一側辺におけるファスナー（１）（１）の折り返し両端部（１ｅ）（１ｅ）による端辺同士を背中合わせに巻き込む状態で縫着接合（３）して方形の袋体（５）を構成する。
【実施例】
【００１０】  この袋物の請求項３に基づく他の実施例を図面７〜１１を用いて説明する。図７は袋物の正面斜視図、図８は同左側面図、図９は同底面図、図１０は図７のＢ−Ｂ線の断面略図、図１１は袋物の開口状態を示す斜視図で、前記請求項２に基づく実施例と同様に袋体（５）の前後身頃丈に相当する複数条のファスナー（１）を、開閉子（１ｄ）の方向を一条毎に交互に変えて上下に並列させて順次縫合接続（２）（２）した袋生地を、ファスナー（１）（１）に直交する中央から腹合わせ状に折り返して、上下端辺で折り返し接するファスナーの取付生地部（１ａ）（１ａ）同士を並列方向に沿って縫合接続（２ａ）（２ａ）し、開放状態の一側辺におけるファスナー（１）（１）の折り返し両端部（１ｅ）（１ｅ）による端辺同士を背中合わせに巻き込む状態で縫着接合（３）して形成した方形の袋体（５）の下端辺から二条のファスナー（１）（１）を中央折り返し部（４）で切断し、その切断端辺を隣接するファスナー（１）の折り返し部（４）の取付生地部（１ａ）辺に縫着接合（３ａ）して底部に三角状の襠部（５ａ）を形成した袋体（５）を構成する。（５ｃ）は袋体（５）の胴側外面に設けたホック、面ファスナーなどによる取付部で、袋物に他の袋物又はアクセサリーなどを取り付けるためのもの、（５ｄ）は提げ手を示す。【００１１】  この襠部（５ａ）付き袋体（５）の一つの構成方法として、図１２，１３を用いて説明すると、図１２は袋体を裏返し状態で示す下半要部の斜視略図、図１３は同接合状態の斜視図で、前記〔０００９〕で説明した袋体（５）を裏返しにした状態で、破線（Ｘ）で示すを摘み上げて上方に隣接するファスナー（１）に寄せ添わせ、扁平状態で外側に摘み出された隅角部（５ｂ）の基部を縫合等により接合（３ａ）して外側を截頭状に切断することにより、前記と同様の三角状船底形の襠部（５ａ）を底部に形成することができる。【００１２】  この襠部（５ａ）は、一側辺の接合部（３）を舳先とした船形にして袋物全体の趣味性を豊かにし、ことに袋体（５）内の底部に三角状の立体空間を形成して収容物の収まりをよくすると共に、襠部（５ａ）においても開閉子（１ｄ）による開閉が可能となり、袋体（５）への収容物の出し入れ操作のバリエーションが倍増するため、とっさの開閉がし易くなる。
【実施例】
【００１３】    図１４を用いて請求項４に基づく他の実施例を説明すると、図１４は袋体の斜視図で、前記請求項２に基づく実施例と同様に袋体（５）の前後身頃丈に相当する複数条のファスナー（１）（１）を、上下に並列させて順次隣接する取付生地部（１ａ）（１ａ）を縫合接続（２）（２）した袋生地を、ファスナー（１）（１）に直交する中央から腹合わせ状に折り返（４）して、上下端辺で折り返し接するファスナーの取付生地部（１ａ）（１ａ）同士を並列方向に沿って縫合接続（２ａ）（２ａ）し、ファスナー（１）（１）の両端部（１ｅ）（１ｅ）による開放状態で寄り合う端辺の上下中央を離間方向に互いに引き広げて腹合わせ状の扁平にし、該端辺を互いに内側に巻き込む背中合わせ状に縫着接合（３）して袋体（５）を構成することにより、袋体（５）は一側辺をなす折り返し部（４）に対し他側辺のファスナー両端部による接合部（３）を９０度回転変位させて、袋体（５）の左右二つの側辺を＋状にひねり対峙する特異な形状のデザインに形成することができると共に、接合部（３）及び折り返し部（４）による両側辺のひねり構造により、袋体（５）内部に鼓形の立体的空間を形成して、一側辺の簡潔な接合（３）構造にも拘わらず収容物の出し入れをし易くし、ことに収容物の納まり及び収容量を良くすることができる。【００１４】  以上の各実施例の説明では、各図面に基づいて袋体（５）におけるファスナー（１）は開閉子（１ｄ）の方向を一条毎交互に変えて並列させ順次縫合接続（２）させた構成について説明したが、この考案においては開閉子（１ｄ）の方向を数条おきに変えて並列させて縫着接続（２）することも可能で、袋体（５）の前後側面及び襠部（５ａ）面のいずれの面からも開閉することができる効果に変わりはない。【００１５】  さらに、開閉子（１ｄ）の方向をすべて同一方向に揃え向けて並列させ順次縫合接続（２）することによっても、この考案の課題である袋体（５）のいずれの箇所をも横方向の水平に円滑に大きく開口することができる作用効果は得られるため、実施可能である。【００１６】  また、各実施例では、各ファスナー（１）の長さを同等にして構成した袋物について説明したが、袋物のデザイン上、各ファスナー（１）の長さを変えて袋体（５）を構成することによっても、この考案所期の作用効果は十分奏し得られるため、実施可能である。ついで袋体（５）のファスナー（１）（１）の両端部（１ｅ）（１ｅ）による一側辺の接合（３）構造は、図１２，１３に示すようにファスナー（１）（１）を裏返しの背中合わせに隣接させて取付生地部（１ａ）（１ａ）を縫合接続（２）する如く、裏返し状態で縫着接合（３）し、表返しすることにより、一側辺においてファスナー両端部（１ｅ）（１ｅ）による端辺を互いに内側に巻き込む背中合わせ状の接合（３）と同様の構成が得られる。【００１７】  なお、ファスナー（１）（１）の両端部（１ｅ）（１ｅ）による開放状態で寄り合う端辺の接合（３）構成についても、単に相寄る腹合わせ状態のままで、また縫着以外の手段で接合するなど任意に接合するものである。
【図面の簡単な説明】
【００１６】
【図１】  この考案を実施せる袋物を示す正面図である。
【図２】  図１の袋物の左側面図である。
【図３】  図１の袋物の右側面図である。
【図４】  図１の袋物の底面図である。
【図５】  図１の袋物のＡ−Ａ線断面図である。
【図６】  ファスナーの一部を示す斜視図である。
【図７】  この考案の他の実施例を示す袋物の斜視図である。
【図８】  図７の袋物の左側面図である。
【図９】  図７の袋物の底面図である。
【図１０】  図７の袋物のＢ−Ｂ線断面図である。
【図１１】  図７の袋物の開口時を示す斜視図である。
【図１２】  袋体の襠部形成を裏返し状態で示す要部の斜視略図である。
【図１３】  図１２の袋体の襠部形成の接合状態を示す斜視図である。
【図１４】  この考案の他の実施例を示す袋物の斜視図である。
【符号の説明】
【００１７】  １    ファスナー
１ａ  取付生地部
１ｂ  噛合片
１ｄ  開閉子
１ｅ  端部
２    接続部
２ａ  接続部
３    接合部
３ａ  接合部
４    折り返し部
４ａ  縫着部
５    袋体
５ａ  襠部
５ｂ  隅角部
【図１】
0003131585.tif 000003
【図２】
0003131585.tif 000004
【図３】
0003131585.tif 000005
【図４】
0003131585.tif 000006
【図５】
0003131585.tif 000007
【図６】
0003131585.tif 000008
【図７】
0003131585.tif 000009
【図８】
0003131585.tif 000010
【図９】
0003131585.tif 000011
【図１０】
0003131585.tif 000012
【図１１】
0003131585.tif 000013
【図１２】
0003131585.tif 000014
【図１３】
0003131585.tif 000015
【図１４】
0003131585.tif 000016